(57)【特許請求の範囲】
【請求項１】
プリンタ部を含むディジタル複合機を構成する各部の動作をファックス機能以外の機能時に制御する第１のコントローラ及び前記各部の動作をファックス機能時に制御する第２のコントローラをバスラインを介して接続し、各コントローラによる制御時における前記各部の複数の動作状態のそれぞれに応じた複数の表示データを各コントローラにおいて生成し、択一的に表示するディスプレイを備えた操作部を第１のコントローラに接続したディジタル複合機の制御方法において、
前記第２のコントローラにより作成した表示データを第１のコントローラを介してディスプレイに供給すべきファックス機能時に、この第２コントローラが制御する前記各部の何れかにおいてエラーが発生した場合には、エラー発生時の表示データを第１のコントローラにより作成してディスプレイに供給することを特徴とするディジタル複合機の制御方法。
【請求項２】
前記エラーは、第１のコントローラによる制御時及び第２のコントローラによる制御時に共通する前記プリンタ部における用紙のジャムであることを特徴とする請求項１に記載のディジタル複合機の制御方法。
【請求項３】
前記第１のコントローラは、前記第２のコントローラにより制御されるファックス機能時の複数の動作状態のそれぞれに応じた表示データに予め設定された優先順位に基づいて、前記第１のコントローラで作成したエラー発生時の表示データを表示すべきであるか否かを判断することを特徴とする請求項１又は２に記載のディジタル複合機の制御方法。
【発明の詳細な説明】
【０００１】
【発明の属する技術分野】
この発明は、原稿の画像を読み取るスキャナ部と用紙上に画像を形成するプリンタ部とを備え、スキャナ部で読み取った原稿の画像をプリンタ部で用紙上に形成するとともに、外部のファクシミリ装置との間で画像データの送受信を行うファックス機能を備えたディジタル複合機の制御方法に関する。
【０００２】
【従来の技術】
複写機能及びファックス機能を備えたディジタル複合機として、装置の複写機能に係る動作を制御する第１のコントローラとファックス機能に係る動作を制御する第２のコントローラとを備えたものがある。原稿の画像を用紙上に再現する複写機能時にはスキャナ部及びプリンタ部を第１のコントローラによって制御し、送信原稿の読取や受信原稿の画像形成を行うファックス機能時にはスキャナ部及びプリンタ部を第１のコントローラを介して第２のコントローラによって制御する。
【０００３】
このように２つのコントローラを備えたディジタル複合機では、さらに、図７（Ａ）に示すようにディスプレイ及びキースイッチが配置された操作部７２ａ，７２ｂを各コントローラ７１ａ，７１ｂのそれぞれに個別に設けたものと、図７（Ｂ）に示すように２つのコントローラ７１ａ，７１ｂで単一の操作部７２を共用するようにしたものとがある。２つのコントローラ７１ａ，７１ｂで単一の操作部７２を共用するものとして、例えば図７（Ｂ）に示すものでは、複写機能を司る第１のコントローラ７１ａに接続された操作部７２を第２のコントローラ７１ｂによって制御されるファックス機能時にも使用する。この場合に、第２のコントローラ７１ｂで作成した表示データをバスライン７３から第１のコントローラ７１ａを介して操作部７２内のディスプレイ７４に供給し、操作部７２内のキースイッチ７５の操作データが第１のコントローラ７１ａからバスライン７３を介して第２のコントローラ７１ｂに入力され、第１のコントローラ７１ａは第２のコントローラ７１ｂと操作部７２との間で遣り取りされるデータの内容については関知しない。
【０００４】
一方、ディジタル複合機においては、ファックス機能における受信画像の出力時に、複写機能における画像形成処理と同様の処理がプリンタ部において行われるため、例えば搬送中の用紙のジャムのように、複写機能時とファックス機能時とで同一のエラーを発生する場合がある。このような場合に、エラーの発生を示すメッセージやエラーの解除作業を促すメッセージをディスプレイに表示する際、各コントローラに個別の操作部を備えたものでは、複写機能時には第１のコントローラに接続されている第１の操作部に表示し、ファックス機能時には第２のコントローラに接続されている第２の操作部に表示することができる。
【０００５】
【発明が解決しようとする課題】
しかしながら、従来の第１及び第２のコントローラで単一の操作部を共用するようにしたディジタル複合機においては、ファックス機能時の全ての処理を複写機能時の処理を制御する第１のコントローラから独立して第２のコントローラにより制御するようにしていた。このため、複写機能時におけるエラー表示の内容とファックス機能時におけるエラー表示の内容とを同一にするためには、第１のコントローラ及び第２のコントローラのそれぞれに同一のエラー表示処理のためのプログラムを実装する必要があるが、各機能の特性やプログラム開発の沿革及びバスラインの仕様等によって第１及び第２のコントローラのそれぞれに実装されるプログラムの言語が相違することから、エラー表示の内容とファックス機能時におけるエラー表示の内容とを同一にするためのプログラムの設計が困難になる問題があった。
【０００６】
この発明の目的は、第２のコントローラにより制御される動作中にエラーを生じた際には、操作部が接続されている第１のコントローラによって操作部のディスプレイにおける表示を制御することにより、第１のコントローラによる制御時のエラー表示の内容と第２のコントローラによる制御時のエラー表示の内容とを容易に一致させることができ、エラー発生時の作業性を容易化するために各コントローラに実装すべきプログラムの設計を簡略化することができるディジタル複合機の制御方法を提供することにある。
【０００７】
【課題を解決するための手段】
この発明は、上記課題を解決するために以下の構成を備えている。
【０００８】
(1) プリンタ部を含むディジタル複合機を構成する各部の動作をファックス機能以外の機能時に制御する第１のコントローラ及び前記各部の動作をファックス機能時に制御する第２のコントローラをバスラインを介して接続し、各コントローラによる制御時における前記各部の複数の動作状態のそれぞれに応じた複数の表示データを各コントローラにおいて生成し、択一的に表示するディスプレイを備えた操作部を第１のコントローラに接続したディジタル複合機の制御方法において、
前記第２のコントローラにより作成した表示データを第１のコントローラを介してディスプレイに供給すべきファックス機能時に、この第２コントローラが制御する前記各部の何れかにおいてエラーが発生した場合には、エラー発生時の表示データを第１のコントローラにより作成してディスプレイに供給することを特徴とする。
【０００９】
この構成においては、第２のコントローラによる制御時に、所定の動作状態になると、その動作状態に応じた表示データが第１のコントローラによって作成されてディスプレイに表示される。したがって、第２のコントローラによる制御時に所定の動作状態となると、第１のコントローラによって作成された表示データがディスプレイに表示され、所定の動作状態では第１のコントローラによる制御時と第２のコントローラによる制御時とでディスプレイの表示状態が同一になる。
【００１０】
(2) 前記エラーは、第１のコントローラによる制御時及び第２のコントローラによる制御時に共通する前記プリンタ部における用紙のジャムであることを特徴とする。
【００１１】
この構成においては、第２のコントローラによる制御時において、複数の動作状態のうち、第１のコントローラによる制御時における動作状態と同一の所定の動作状態になると、その動作状態に応じた表示データが第１のコントローラによって作成されてディスプレイに表示される。したがって、第１のコントローラによる制御時と第２のコントローラによる制御時とにおいて共通する動作状態では、第１のコントローラによって作成された表示データがディスプレイに表示され、ディスプレイの表示状態が同一になる。
【００１２】
(3) 前記第１のコントローラは、前記第２のコントローラにより制御されるファックス機能時の複数の動作状態のそれぞれに応じた表示データに予め設定された優先順位に基づいて、前記第１のコントローラで作成したエラー発生時の表示データを表示すべきであるか否かを判断することを特徴とする。
【００１３】
この構成においては、第２のコントローラによる制御時の各動作状態に対応する複数の表示データのそれぞれに予め設定されている優先順位に基づいて、第１のコントローラが表示データを作成すべきか否かが判断される。したがって、第２のコントローラによる制御時に所定の動作状態になった場合に、第１のコントローラが作成する表示データはその優先順位が第２のコントローラが作成した表示データの優先順位よりも高い時にのみディスプレイに表示され、第１のコントローラが作成する表示データの優先順位が第２のコントローラが作成した表示データの優先順位より低い時には第２のコントローラが作成した表示データが優先してディスプレイに表示される。このため、第２のコントローラによる制御が不用意に中断することがない。
【００１４】
【発明の実施の形態】
図１は、この発明の実施形態に係る制御方法が適用されるディジタル複合機の構成を示す図である。ディジタル複合機１０は、プリンタ部２の上方にスキャナ部１を配置し、さらにその上方に原稿給送部３を配置して構成されている。ディジタル複合機１０は、少なくとも原稿の画像を用紙上に再現する複写機能、及び、外部のファクシミリ装置との間で画像データの送受信を行うファックス機能を備え、さらに、データ伝送ラインを介して接続された外部のパーソナルコンピュータに画像データを供給するＰＣスキャナ機能、及び、外部のパーソナルコンピュータから入力された画像データを用紙上に形成するＰＣプリンタ機能を備えている。
【００１５】
このディジタル複合機１０において、複写機能時には、スキャナ部１及びプリンタ部２が使用され、原稿給送部３が選択的に使用される。ファックス機能時において、送信時には原稿給送部３及びスキャナ部１が使用され、受信時にはプリンタ部２が使用される。また、ＰＣスキャナ機能時には原稿給送部３及びスキャナ部１が使用され、ＰＣプリンタ機能時にはプリンタ部２が使用される。
【００１６】
スキャナ部１は、上面に原稿台１１を配置し、内部にスキャナユニット１２を備えている。スキャナユニット１２は光源１２ａ、ミラー１２ｂ及びＣＣＤ１２ｃを搭載しており、ガイド軸１４に沿ってプラテンガラス１１の下面に平行に矢印Ａ及びＢ方向に往復移動する。スキャナユニット１２は、原稿台１１に載置された原稿の画像面を光源１２ａの光によって露光走査し、原稿の画像面における反射光をミラー１２ｂを介してＣＣＤ１２ｃによって読み取る。ＣＣＤ１２ｃは、受光面における反射光の受光量に応じた電気信号を出力する。ＣＣＤ１２ｃの出力信号は、図示しない画像処理部において所定の画像処理を施された後に画像データとして格納する。
【００１７】
プリンタ部２は、内部にキャリッジ２１及び搬送ローラ２２を備えている。キャリッジ２１は、インクヘッド及びインクタンクを搭載しており、ガイド軸２３に沿って主走査方向である矢印Ｃ及びＤ方向に往復移動する。搬送ローラ２２は、複数枚積層して収納された用紙Ｐを、キャリッジ２１の下面に対向する位置に対して主走査方向に直交する副走査方向に一枚ずつ搬送する。キャリッジ２１が矢印Ｃ及びＤ方向のいずれか一方又は両方に移動する間に画像処理部から画像データに応じた駆動信号がインクヘッドに供給され、用紙Ｐの表面にインクを吐出して画像が形成される。
【００１８】
なお、プリンタ部２の前面側には、図示しない操作部４が設けられている。この操作部４には、ディスプレイ４ａ及びキースイッチ４ｂが配置されている。ディスプレイ４ａは、ディジタル複合機１０の各部の動作状態に応じた表示データを表示する。キースイッチ４ｂは、オペレータによる機能の選択や動作条件の設定に係る入力操作を受け付ける。
【００１９】
原稿給送部３は、原稿トレイ３１、排出トレイ３２、反転トレイ３３及び給送ユニット３４を備えている。給送ユニット３４は、摩擦ローラ３４ａ、繰出ローラ３４ｂ、給送ローラ３４ｃ，３４ｄ、プラテン板３４ｅ及び排出ローラ３４ｆを備え、原稿トレイ３１上に載置された複数枚の原稿を１枚ずつプラテン板３４ｅと原稿台１１との間を経由して排出トレイ３２又は反転トレイ３３に給送する。反転トレイ３３の給送ユニット３４側には、フラッパ３３ａが揺動自在に設けられている。
【００２０】
フラッパ３３ａは、片面原稿モード時及び両面原稿モードの第２面給送時に排出ローラ３４ｆと排出トレイ３２との間を開放し、プラテン板３４ｅと原稿台１１との間を通過した原稿を排出トレイ３２に導く。一方、両面原稿モードの第１面給送時に排出ローラ３４ｆと排出トレイ３２との間を閉鎖し、プラテン板３４ｅと原稿台１１との間を通過した原稿を反転トレイ３３に導く。両面原稿モードの第１面給送時には、排出ローラ３４ｆは原稿の一部を挟持したままで逆方向に回転し、表裏面を反転した原稿を再度プラテン板３４ｅと原稿台１１との間に導く。
【００２１】
なお、複写機能時、ファックス機能の送信時及びＰＣスキャナ機能時に原稿給送部３を使用して原稿の画像を読み取る際には、スキャナ部１においてスキャナユニット１２は移動範囲の右側端に停止し、光源１２ａの光は原稿台１１を介してプラテン板３４ｅの下面に照射される。また、原稿給送部３は、背面側をヒンジとしてスキャナ部１の上面を開閉自在に被覆しており、複写機能時及びＰＣスキャナ機能時に一枚ものの原稿や厚手の原稿を原稿台１１の上面に手動操作によって載置できるようにされている。
【００２２】
図２は、上記ディジタル複合機の制御部の構成を示すブロック図である。ディジタル複合機１０の制御部は、バスライン７を介して互いに接続された第１のコントローラであるメインコントローラ５と第２のコントローラであるサブコントローラ６とによって構成されている。メインコントローラ５はＲＯＭ５２及びＲＡＭ５３を備えたＣＰＵ５１を含み、ＣＰＵ５１にはスキャナ部１、プリンタ部２、原稿給送部３及び操作部４の入出力機器が接続されている。特に、操作部４のディスプレイ４ａはドライバ５４を介してＣＰＵ５１に接続されており、ドライバ５４はＣＰＵ５１から供給された表示データに基づいてディスプレイ４ａを駆動する。また、操作部４のキースイッチ４ｂは、オペレータの操作内容に応じた操作データをＣＰＵ５１に入力する。
【００２３】
メインコントローラ５は、複写機能時、ＰＣスキャナ機能時及びＰＣプリンタ機能時における各入出力機器の動作状態の制御を司る。即ち、メインコントローラ５は、例えば、複写機能時には、キースイッチ４ｂの操作による複写条件の設定を待機し、入力された複写条件にしたがってスキャナ部１、プリンタ部２及び原稿給送部３を動作させることにより、原稿トレイ３１にセットされた原稿を一枚ずつ給送して画像を読み取り、読み取った画像データに基づいて用紙Ｐ上に画像を形成する。また、メインコントローラ５は、複写機能時の動作状態に応じた表示データを作成し、ドライバ５４を介して動作状態に応じたメッセージをディスプレイ４ａに表示する。
【００２４】
一方、サブコントローラ６は、ＲＯＭ６２及びＲＡＭ６３を備えたＣＰＵ６１を含み、ＣＰＵ６１には送受信部６４が接続されている。サブコントローラ６は、原則としてファックス機能時における各入出力機器の動作状態の制御を司る。即ち、ファックス機能の送信時には、サブコントローラ６は、キースイッチ４ｂの操作による送信先電話番号等の送信条件の設定を待機し、入力された送信条件にしたがってスキャナ部１、原稿給送部３及び送受信部６４を動作させることにより、原稿トレイ３１にセットされた原稿を一枚ずつ給送して画像を読み取るとともに、公衆電話回線網に発呼し、送信先のファクシミリ装置に画像データを送信する。また、受信時には、サブコントローラ６は、送受信部６４が受信した画像データをＲＡＭ６３に一時格納した後、プリンタ部２を動作させて受信した画像データに基づいて用紙Ｐ上に画像を形成する。さらに、サブンコントローラ６は、複写機能時の動作状態に応じた表示データを作成し、ドライバ５４を介して動作状態に応じたメッセージをディスプレイ４ａに表示する。
【００２５】
なお、ファックス機能時におけるスキャナ部１、プリンタ部２及び原稿給送部３及び操作部４の動作は、サブコントローラ６から出力された動作命令にしたがって、メインコントローラ５が作成した動作データに基づいて行われる。また、ファックス機能時における操作部４の動作は、原則として、サブコントローラ６が作成した表示データをメインコントローラ５を介してドライバ５４に供給することによって行われる。但し、ファックス機能時における所定の動作状態においては、メインコントローラ５が作成した表示データがドライバ５４に供給される。
【００２６】
なお、サブコントローラ６によるファックス機能時においても、メインコントローラ５によるＰＣスキャナ機能又はＰＣプリンタ機能に係る動作を同時に行うことが可能である。例えば、ファックス機能の送信時には、プリンタ部２は使用されないため、外部のパーソナルコンピュータ又はスキャナ装置から入力された画像データに基づいてメインコントローラ５によりプリンタ部２を動作させて画像形成処理を行うことができる。また、ファックス機能の受信時には、スキャナ部１及び原稿給送部３は使用されないため、メインコントローラ５によりスキャナ部１及び原稿給送部３を動作させて外部のパーソナルコンピュータ又はスキャナ装置に出力すべき画像データの読取処理を行うことができる。
【００２７】
図３〜５は、上記ディジタル複合機の動作状態とディスプレイの表示内容との関係を示す図である。図３は、複写機能時に用紙のジャムを生じた場合のディジタル複合機の動作状態とディスプレイの表示内容との関係を示している。ディジタル複合機１０における複写機能時にはスキャナ部１、プリンタ部２、原稿給送部３及び操作部４の動作はメインコントローラ５によって制御され、スキャナ部１、プリンタ部２及び原稿給送部３が複写機能に係る動作を実行している間には（ｓ１０１）、操作部４のディスプレイ４ａにはメインコントローラ５において作成された表示データに基づいてコピー中である旨のメッセージが表示される（ｄ１０１）。
【００２８】
複写機能に係る動作中にプリンタ部２において用紙Ｐのジャムを発生すると（ｓ１０２）、これを検出したメインコントローラ５は、スキャナ部１、プリンタ部２及び原稿給送部３の動作を停止するとともに（ｓ１０３）、エラーメッセージの表示データを作成してディスプレイ４ａに供給する。これによって、ディスプレイ４ａにはジャムの解除作業を促すメッセージが表示される（ｄ１０２）。
【００２９】
オペレータがジャム解除作業を行うとともに操作部４に配置されたスタートキーを操作すると（ａ１０１，ａ１０２）、メインコントローラ５はジャムが解除されたことを確認した後に複写機能に係る処理を再開し、ディスプレイ４ａにコピー中である旨のメッセージの表示データを供給する（ｓ１０４，ｓ１０５）。これによって、スキャナ部１、プリンタ部２及び原稿給送部３が複写機能に係る動作を再開するとともに、ディスプレイ４ａにはコピー中である旨のメッセージが表示される（ｄ１０３）。
【００３０】
図４は、ファックス受信機能時にジャムを生じた場合のディジタル複合機の動作状態とディスプレイの表示内容との関係を示している。ディジタル複合機１０におけるファックス受信機能時にはプリンタ部２及び操作部４の動作はメインコントローラ５を介してサブコントローラ６によって制御され、プリンタ部２がファックス受信機能に係る動作を実行している間には（ｓ２０１）、サブコントローラ６は受信画像の印刷中である旨のメッセージの表示データを作成してメインコントローラ５に出力する（ｓ２０２）。この表示データはメインコントローラ５から操作部４のディスプレイ４ａに供給され（ｓ２１１，ｓ２１２）、ディスプレイ４ａには受信画像の印刷中である旨のメッセージが表示される（ｄ２０１）。
【００３１】
ファックス受信機能に係る動作中にプリンタ部２において用紙Ｐのジャムを発生したことがメインコントローラ５によって検出されると（ｓ２１３）、これを検出したメインコントローラ５は、エラーの発生をサブコントローラ６に通知するとともに（ｓ２１４）、エラーメッセージの表示データを作成する（ｓ２１５）。サブコントローラ６は、エラーの発生の通知を受けると（ｓ２０３）、プリンタ部２の動作を停止するとともに（ｓ２０４）、待機中のアイドル画面の表示データを作成してメインコントローラ５に出力する（ｓ２０５）。このとき、メインコントローラ５は、サブコントローラ６から入力されたアイドル画面の表示データと作成したエラーメッセージの表示データとの優先度にしたがってエラーメッセージの表示データをディスプレイ４ａに供給する（ｓ２１６）。これによって、ディスプレイ４ａには、ジャムの解除作業を促すメッセージが表示される（ｄ２０２）。
【００３２】
オペレータがジャム解除作業を行うとともに操作部４に配置されたスタートキーを操作すると（ａ２０１，ａ２０２）、メインコントローラ５はジャムが解除されたことを確認してサブコントローラ６に通知する（ｓ２１７）。サブコントローラ６は、エラー解除の通知を受けると（ｓ２０６）、ファックス受信機能に係る処理を再開するとともに（ｓ２０７）、受信画像の印刷中である旨のメッセージの表示データを作成してメインコントローラ５に出力する（ｓ２０８）。この表示データはメインコントローラ５から操作部４のディスプレイ４ａに供給される（ｓ２１８，ｓ２１９）。これによって、プリンタ部２がファックス受信機能に係る動作を再開するとともに、ディスプレイ４ａには受信画像の印刷中である旨のメッセージが表示される（ｄ２０３）。
【００３３】
以上のようにして、サブコントローラ６が主体となってプリンタ部２の動作を制御するファックス受信機能時において、プリンタ部２に用紙Ｐのジャムを生じた場合には、メインコントローラ５が作成した表示データに基づいて、複写機能中におけるジャム発生時に表示されるメッセージと同一のエラーメッセージがディスプレイ４ａに表示される。したがって、サブコントローラ６にエラーメッセージの表示データを作成するための処理プログラムを実装する必要がない。また、メインコントローラ５のプログラム言語とサブコントローラ６のプログラム言語とが相違する場合にも、複写機能時とファックス受信機能時とにおいて同一のエラーメッセージをディスプレイ４ａに容易に表示することができる。
【００３４】
なお、ａ２０２の処理において、スタートキーを操作する前にオペレータが置数キー等のスタートキー又はクリアキー以外のキーを操作した場合、その操作データはメインコントローラ５からサブコントローラ６に入力され、エラー解除後におけるディスプレイ４ａの表示内容に反映されるようにすることができる。
【００３５】
図５は、ファックス送信機能と同時に実行されたＰＣプリント機能時にジャムを生じた場合のディジタル複合機の動作状態とディスプレイの表示内容との関係を示している。ディジタル複合機１０におけるファックス送信機能時にはスキャナ部１及び操作部４の動作はメインコントローラ５を介してサブコントローラ６によって制御され、プリンタ部２がファックス送信機能に係る動作を実行している間には（ｓ３０１）、サブコントローラ６は送信画像の読取中である旨のメッセージの表示データを作成してメインコントローラ５に出力する（ｓ３０２）。この表示データはメインコントローラ５から操作部４のディスプレイ４ａに供給され（ｓ３１１，ｓ３１２）、ディスプレイ４ａには送信画像の読取中である旨のメッセージが表示される（ｄ３０１）。
【００３６】
サブコントローラ６の制御によるファックス送信機能時にはプリンタ部２は使用されないため、他の画像データについての画像形成処理を同時に行うことができる。そこで、サブコントローラ６によるファックス送信機能に並行してメインコントローラ５が外部装置から入力された画像データについてのＰＣプリント機能に係る処理を実行している間に（ｓ３１３）、プリンタ部２において用紙Ｐのジャムを生じた場合、これを検出したメインコントローラ５は、プリンタ部２の動作を停止し（ｓ３１４，ｓ３１５）、エラー発生を通知することなくファックス送信機能の終了を待機する。この間において、メインコントローラ５は、エラーメッセージの表示データを作成するが（ｓ３１６）、入力されている送信画像の読取中のメッセージの表示データと作成したエラーメッセージの表示データとの優先度にしたがって入力されている送信画像の読取中のメッセージをディスプレイ４ａに供給し続ける。
【００３７】
一方、サブコントローラ６は、ファックス送信機能の処理が終了すると（ｓ３０３）、待機中のアイドル画面の表示データを作成してメインコントローラ５に出力する（ｓ３０４）。このとき、メインコントローラ５は、サブコントローラ６から入力されたアイドル画面の表示データと作成したエラーメッセージの表示データとの優先度にしたがってエラーメッセージの表示データをディスプレイ４ａに供給する（ｓ３１７）。これによって、ディスプレイ４ａには、ジャムの解除作業を促すメッセージが表示される（ｄ３０２）。
【００３８】
オペレータがジャム解除作業を行うとともに操作部４に配置されたスタートキーを操作すると（ａ３０１，ａ３０２）、メインコントローラ５はジャムが解除されたことを確認した後（ｓ３１８）、ＰＣプリント機能に係る処理を再開するとともにＰＣプリント中である旨のメッセージの表示データを作成し、サブコントローラ６から入力されたアイドル画面の表示データと作成したＰＣプリント中である旨のメッセージの表示データとの優先度にしたがって作成した表示データをディスプレイ４ａに供給する（ｓ３１９）。これによって、プリンタ部２がＰＣプリント機能に係る動作を再開するとともに、ディスプレイ４ａにはＰＣプリント中である旨のメッセージが表示される（ｄ３０３）。
【００３９】
この後、メインコントローラ５は、ＰＣプリント処理が終了すると（Ｓ３２０）、サブコントローラ６から入力されたアイドル画像の表示データをディスプレイ４ａに供給する（ｓ３２１）。これによって、ディスプレイ４ａには、ファックス機能における待機中である旨のアイドル画像が表示される。
【００４０】
図６は、上記ディジタル複合機においてディスプレイに供給される表示データの優先順位を示す図である。ディジタル複合機１０において、メインコントローラ５及びサブコントローラ６によって作成されてディスプレイ４ａに表示される複数の表示画面のそれぞれには優先順位が予め定められており、上述のように、メインコントローラ５で作成された表示データとサブコントローラ６で作成された表示データとが同時に存在する場合には、優先順位のより高い方の表示データがメインコントローラ５からディスプレイ４ａに供給される。
【００４１】
例えば、ファックス機能時にサブコントローラ６で作成されるＦＡＸアイドル画面の表示データよりもメインコントローラ５で作成されるエラーメッセージの表示データの方が優先順位が高いため、ファックス受信機能時にプリンタ部２でジャムを発生した場合には、メインコントローラ５で作成されたエラーメッセージの表示データがディスプレイ４ａに供給される。また、ファックス機能時にサブコントローラで作成されるＦＡＸ送信中の表示データは同時に実行されているＰＣプリント機能時にメインコントローラ５で作成されるエラーメッセージの表示データよりも優先順位が高いため、ファックス送信機能時にプリンタ部２でジャムを発生した場合には、サブコントローラ６で作成されたＦＡＸ送信中の表示データがディスプレイ４ａに供給される。
【００４２】
このようにして、予め定められた優先順位にしたがってディスプレイ４ａにおける表示内容が決定されるため、互いに異なる機能を制御するメインコントローラ５及びサブコントローラ６において同時に表示データが作成された場合にも、ディジタル複合機１０においてオペレータが認識すべき情報を確実にディスプレイ４ａに表示させることができる。
【００４３】
【発明の効果】
以上のようにして、この発明によれば、以下の効果を奏することができる。
【００４４】
(1) 第２のコントローラによる制御時に、所定の動作状態になると、その動作状態に応じた表示データを第１のコントローラによって作成してディスプレイに表示することにより、所定の動作状態では第１のコントローラによる制御時と第２のコントローラによる制御時とでディスプレイの表示状態を同一にすることができる。これによって、第１のコントローラと第２のコントローラとの間でプログラム言語が相違する場合にも、ディスプレイにおける表示内容を容易に統一することができ、プログラムの設計を容易にすることができる。
【００４５】
(2) 第２のコントローラによる制御時において、複数の動作状態のうち、第１のコントローラによる制御時における動作状態と同一の所定の動作状態になると、その動作状態に応じた表示データを第１のコントローラによって作成してディスプレイに表示することにより、第１のコントローラによる制御時と第２のコントローラによる制御時とにおいて共通する動作状態でのディスプレイの表示状態を同一にすることができる。これによって、第１のコントローラと第２のコントローラとの間でプログラム言語が相違する場合にも、ディスプレイにおける表示内容を容易に統一することができ、プログラムの設計を容易にすることができる。
【００４６】
(3) 第２のコントローラによる制御時の各動作状態に対応する複数の表示データのそれぞれに予め設定されている優先順位に基づいて、第１のコントローラが作成した表示データを表示すべきか否かを判断することにより、第２のコントローラによる制御時に所定の動作状態になった場合に、第２のコントローラが作成した表示データの優先順位よりも高い時にのみ第１のコントローラが作成した表示データをディスプレイに表示し、第１のコントローラが作成した表示データの優先順位が第２のコントローラが作成した表示データの優先順位より低い時には第２のコントローラが作成した表示データを優先してディスプレイに表示することができる。これによって、互いに異なる機能を制御する第１のコントローラ及び第２のコントローラにおいて同時に表示データが作成された場合にも、オペレータが認識すべき情報を確実にディスプレイに表示することができる。
【図面の簡単な説明】
【図１】この発明の実施形態に係る制御方法が適用されるディジタル複合機の構成を示す図である。
【図２】上記ディジタル複合機の制御部の構成を示すブロック図である。
【図３】複写機能時に用紙のジャムを生じた場合のディジタル複合機の動作状態とディスプレイの表示内容との関係を示す図である。
【図４】ファックス受信機能時にジャムを生じた場合のディジタル複合機の動作状態とディスプレイの表示内容との関係を示す図である。
【図５】ファックス送信機能と同時に実行されたＰＣプリント機能時にジャムを生じた場合のディジタル複合機の動作状態とディスプレイの表示内容との関係を示す図である。
【図６】上記ディジタル複合機においてディスプレイに供給される表示データの優先順位を示す図である。
【図７】この発明の実施形態を含む一般的なディジタル複合機のコントローラと操作部との構成を示す図である。
【符号の説明】
１ースキャナ部
２−プリンタ部
３−原稿給送部
４−操作部
４ａ−ディスプレイ
５−メインコントローラ
６−サブコントローラ
【図１】
0003831200.tif 000002
【図２】
0003831200.tif 000003
【図３】
0003831200.tif 000004
【図４】
0003831200.tif 000005
【図５】
0003831200.tif 000006
【図６】
0003831200.tif 000007
【図７】
0003831200.tif 000008